(57)【要約】【課題】  大きさの異なるキャスターに使用することを可能にするキャスター用ガード具を提供する。【解決手段】  可撓性のある材料で作られ、キャスターを囲むために長方形の板状をしたガード具本体１０と、ガード具本体１０の一方の短辺と他方の短辺との間に、かつ、他方の短辺と並ぶようにガード具本体１０に設けられた屈曲用の溝２０と、ガード具本体１０が曲げられてキャスターを囲む開口１０ａが形成されたときに、ガード具本体１０の一方の短辺側を他方の短辺側に着脱可能に嵌合して固定するロック構造３０とを備える。ロック構造３０は、ガード具本体１０の一方の短辺側に設けられたロック部３１と、ガード具本体１０の他方の短辺側に間をおいて複数並んで設けられ、ロック部と嵌合する被ロック部３２とで形成され、ロック部３１は一番外側に配置された被ロック部３２と嵌合して開口１０ａを形成する。【選択図】  図１
2019116211.tif 000002
【特許請求の範囲】
【請求項１】
キャスターに装着されるキャスター用ガード具であって、
可撓性のある材料で作られ、前記キャスターを囲むために長方形の板状をしたガード具本体と、
前記ガード具本体の一方の短辺と他方の短辺との間に、かつ、前記他方の短辺と並ぶように前記ガード具本体に設けられた屈曲用の溝と、
前記ガード具本体が曲げられて前記キャスターを囲む開口が形成されたときに、前記ガード具本体の一方の短辺側を他方の短辺側に着脱可能に嵌合して固定するロック構造と、
を備え、
前記ロック構造は、前記ガード具本体の一方の短辺側に設けられたロック部と、前記ガード具本体の他方の短辺側に間をおいて複数並んで設けられ、前記ロック部と嵌合する被ロック部とで形成され、前記ロック部は一番外側に配置された被ロック部と嵌合して前記開口を形成する、
ことを特徴とするキャスター用ガード具。
【請求項２】
前記ロック部は、前記ガード具本体に溝を設けることで形成された本体側の凸部と嵌合するロック部側の凹部と、前記凹部の側壁に設けられたロック溝とを備え、
前記被ロック部は、前記本体側の凸部の側壁に設けられ、前記屈曲用の溝から突き出すように設けられ、かつ前記ロック溝と嵌合する突起を備える、
ことを特徴とする請求項１に記載のキャスター用ガード具。
【請求項３】
前記屈曲用の溝は、前記ガード具本体の一方の短辺側に設けられているロック部と他方短辺との間に間をおいて複数設けられ、
前記ガード具本体は、前記ロック構造により一方の短辺が他方の短辺に固定されたときに、前記各屈曲用の溝で円環状の開口を形成する、
ことを特徴とする請求項１または２に記載のキャスター用ガード具。
【発明の詳細な説明】
【技術分野】
【０００１】
この発明は、各種機器の底部に取り付けられて、機器を移動可能にするキャスターに用いられるキャスター用ガード具に関する。
【背景技術】
【０００２】
キャスター付きの各種の機器として例えば麻酔器がある。麻酔器が置かれている床には、各種のケーブル類が置いてある場合が多い。こうした状態で麻酔器を別の場所に移すために動かすと、麻酔器のキャスターがケーブルなどを挟んだり踏んだりして、麻酔器がスムーズに動かなくなる場合がある。こうした事態を防ぐために、キャスター用のカバーがある（例えば、特許文献１参照。）。
【０００３】
このキャスター用のカバーは、図１２に示すように、円筒状のカバー本体１１１と、床面との滑りを向上させるフッ素樹脂テープ１１２とで構成されている。キャスター用のカバーのカバー本体１１１は、キャスター１２０が床面上を動くように装着され、かつ、床面上でキャスター１２０を囲むように装着されている。そして、キャスター１２０が床面上で動くことにより、カバー本体１１１はキャスターに追従する。この結果、キャスター用のカバーはキャスター１２０の走行軌道内にケーブル等の異物が侵入することを阻止している。
【先行技術文献】
【特許文献】
【０００４】
【特許文献１】特開２０００−７１７０８号公報
【発明の概要】
【発明が解決しようとする課題】
【０００５】
ところで、先に述べた従来のキャスター用のカバーには、次の課題がある。つまり、従来のキャスター用のカバーでは、キャスター１２０の大きさに応じてカバー本体１１１が前もって作られている。しかし、キャスター１２０の大きさには各種のものがある。このために、大きなキャスター１２０用のカバーを小さなキャスター１２０に用いると、キャスター１２０の動きにカバーがスムーズに追従しなくなってしまう。したがって、大きさの異なる複数のキャスター用のカバーをあらかじめ用意しておく必要がある。
【０００６】
この発明の目的は、前記の課題を解決し、大きさの異なるキャスターに使用することを可能にするキャスター用ガード具を提供することにある。
【課題を解決するための手段】
【０００７】
前記の課題を解決するために、請求項１の発明は、キャスターに装着されるキャスター用ガード具であって、可撓性のある材料で作られ、前記キャスターを囲むために長方形の板状をしたガード具本体と、前記ガード具本体の一方の短辺と他方の短辺との間に、かつ、前記他方の短辺と並ぶように前記ガード具本体に設けられた屈曲用の溝と、前記ガード具本体が曲げられて前記キャスターを囲む開口が形成されたときに、前記ガード具本体の一方の短辺側を他方の短辺側に着脱可能に嵌合して固定するロック構造と、を備え、前記ロック構造は、前記ガード具本体の一方の短辺側に設けられたロック部と、前記ガード具本体の他方の短辺側に間をおいて複数並んで設けられ、前記ロック部と嵌合する被ロック部とで形成され、前記ロック部は一番外側に配置された被ロック部と嵌合して前記開口を形成する、ことを特徴とするキャスター用ガード具である。
【０００８】
請求項１の発明では、キャスターを囲むためにガード具本体が曲げられて開口が形成される。ガード具本体に設けられたロック構造により、ガード具本体の両端を固定する。この場合に、キャスターに比べてガード具本体が大きいときには、被ロック部の間を切り離す。これにより、ガード具本体の長さが調整されて開口を小さくし、ガード具本体をキャスターに適するようにすることができる。
【０００９】
請求項２の発明は、請求項１に記載のキャスター用ガード具において、前記ロック部は、前記ガード具本体に溝を設けることで形成された本体側の凸部と嵌合するロック部側の凹部と、前記凹部の側壁に設けられたロック溝とを備え、前記被ロック部は、前記本体側の凸部の側壁に設けられ、前記屈曲用の溝から突き出すように設けられ、かつ前記ロック溝と嵌合する突起を備える、ことを特徴とする。
【００１０】
請求項３の発明は、請求項１または２に記載のキャスター用ガード具において、前記屈曲用の溝は、前記ガード具本体の一方の短辺側に設けられているロック部と他方短辺との間に間をおいて複数設けられ、前記ガード具本体は、前記ロック構造により一方の短辺が他方の短辺に固定されたときに、前記各屈曲用の溝で円環状の開口を形成する、ことを特徴とする。
【発明の効果】
【００１１】
請求項１の発明によれば、ガード具本体がキャスターに装着されたときに、キャスターに比べてガード具本体で形成される開口が大きい場合には、ガード具本体に間をおいて被ロック部が複数並んで設けられているので、被ロック部の間を切り離す。これにより、ガード具本体の長さが調整されて、ガード具本体で形成される開口が小さくなり、ガード具本体をキャスターに適するようにすることができる。また、ガード具本体に屈曲用の溝が設けられているので、キャスターに合わせてガード具本体を溝の部分で容易に曲げることができる。
【００１２】
請求項２の発明によれば、被ロック部の突起が屈曲用の溝から突き出すように設けられているので、この屈曲用の溝の部分を切り離すことで、ガード具本体で形成される開口の大きさをキャスターに適するようにすることができる。
【００１３】
請求項３の発明によれば、複数の屈曲用の溝によりガード具本体が円環状の開口を形成するので、屈曲用の溝の部分を切り離してガード具本体の長さを変えたときに、円環状の開口の直径を小さくすることができる。
【図面の簡単な説明】
【００１４】
【図１】この発明の実施の形態１によるキャスター用ガード具を示す斜視図である。
【図２】ガード具本体を示す斜視図である。
【図３】溝が設けられたガード具本体を示す正面図である。
【図４】ロック構造を示す正面図である。
【図５】ロック構造を示す背面図である。
【図６】被ロック部を示す斜視図である。
【図７】ロック部を示す斜視図である。
【図８】キャスター用ガード具の装着の様子を説明する斜視図である。
【図９】キャスター用ガード具の装着の様子を説明する斜視図である。
【図１０】キャスター用ガード具をキャスターに装着した様子を示す斜視図である。
【図１１】この発明の実施の形態２によるキャスター用ガード具を示す斜視図である。
【図１２】従来のキャスター用のカバーを示す斜視図である。
【発明を実施するための形態】
【００１５】
次に、この発明の実施の形態について、図面を用いて詳しく説明する。
【００１６】
（実施の形態１）
この実施の形態によるキャスター用ガード具を図１に示す。図１のキャスター用ガード具は、キャスター１２０に用いられるものであり、ガード具本体１０を備えている。さらに、ガード具本体１０に対して、溝２０やロック構造３０が設けられている。
【００１７】
ガード具本体１０は図２に示すように長方形の板状をしている。ガード具本体１０では長方形の長辺はキャスター１２０を囲むような長さである。ガード具本体１０は、曲げても折れない可撓性のある材料、例えば合成樹脂などで作られている。ガード具本体１０が床と接触する側、つまりガード具本体１０の下部では幅が厚くなり、ガード具本体１０の一方の表面から張り出すように、張出し部１１が形成されている。張出し部１１により、ガード具本体１０の重心が下に移動し、キャスター用ガード具がキャスター１２０に取り付けられて使用されたときに、ガード具本体１０が倒れることなどを防いでいる。
【００１８】
ガード具本体１０は先に述べたように可撓性のある材料で作られているが、さらに大きく曲がるように、ガード具本体１０の一方の表面には、図３に示すように多数の溝２０がほぼ等間隔で設けられている。なお、図３では代表的な溝に符号２０を付けている。溝２０は、長方形をしたガード具本体１０の一方の短辺と他方の短辺との間に、かつ、短辺に対して平行に形成されている。これらの多数の溝２０により、ガード具本体１０の一方の表面が内側になるように、ガード具本体１０を大きく円環状に曲げることが可能になる。つまり、溝２０を設けることで、張出し部１１が下部に位置する凸部１２が形成され、これらの凸部１２が内側に向くように、ガード具本体１０を円環状に曲げることが可能になる。これによりガード具本体１０が開口１０ａを形成することになる。
【００１９】
長方形をしたガード具本体１０の両短辺側には、ロック構造３０が設けられている。ロック構造３０は、図４と図５に示すように、ガード具本体１０の一方の短辺側に設けられているロック部３１と、他方の短辺側に設けられている被ロック部３２とで構成されている。
【００２０】
被ロック部３２は、他方の短編側に在る４つの凸部１２に対してそれぞれ一体的に設けられている突起３２ａを備えている。つまり、被ロック部３２は凸部１２と突起３２ａとを一組とした構成である。例えば、一番外側に位置する凸部１２では、被ロック部３２の突起３２ａは、図６に示すように、凸部１２の上部に、かつ、隣接する溝２０に突き出して設けられている。突起３２ａは高さＬ１で長さＬ２の三角柱の形状をしていて、その先端が溝２０に向かうように設けられている。他の３つの突起３２ａも同様である。
【００２１】
また、被ロック部３２に隣接する溝２０は、凸部１２に比べて厚さが薄いので、切断が容易である。つまり、被ロック部３２の突起３２ａが突き出ている側の溝２０を切断することにより、ガード具本体１０の長さを短くすることができる。そして、一番内側に位置する被ロック部３２に隣接している溝２０を切断したときに、ガード具本体１０の長さを一番短くすることができる。
【００２２】
ロック部３１は、ガード具本体１０の一番外側に位置する被ロック部３２と着脱可能に嵌合するものである。ロック部３１は、ガード具本体１０の一方の短辺側に設けられ、かつガード具本体１０と一体的に設けられている。ロック部３１は、図７に示すように、ガード具本体１０の凸部１２と同じ厚さＬ３の板状をしている。ロック部３１の先端から幅Ｌ４を隔てて凹部３１ａが設けられている。これにより、ロック部３１の先端部分には凸部３１ｂが形成される。凸部３１ｂは一番外側に位置する被ロック部３２の溝２０と嵌合する部分であり、凹部３１ａは一番外側に位置する被ロック部３２の凸部１２と嵌合する部分である。
【００２３】
ガード具本体１０の一番外側に位置する溝２０と凸部３１ｂが嵌合し、ガード具本体１０の一番外側に位置する被ロック部３２の凸部１２と凹部３１ａが嵌合したときに、被ロック部３２の突起３２ａと向かい合うような位置に、ほぼ深さＬ１でほぼ長さＬ２のロック溝３１ｃが開けられている。つまり、ロック溝３１ｃは被ロック部３２の突起３２ａと嵌合する。これにより、ロック部３１は被ロック部３２から離れないようにしている。
【００２４】
以上がキャスター用ガード具の構成である。次に、このキャスター用ガード具の作用について説明する。床にケーブル類が置かれている所で例えば麻酔器を使用する場合に、キャスター用ガード具が麻酔器のキャスター１２０に装着される。キャスター用ガード具を取り付ける取付け作業者は、図８に示すように、キャスター１２０を囲むようにキャスター用ガード具のガード具本体１０を配置する。
【００２５】
キャスター用ガード具のガード具本体１０を配置した後、図９に示すように、取付け作業者は、他方の短辺側に設けられている被ロック部３２を持ち上げる。次に、取付け作業者は、一番外側に位置する被ロック部３２に対して次の作業を行う。つまり、ロック部３１のロック溝３１ｃの上側に被ロック部３２の突起３２ａが位置する状態で、取付け作業者は、ロック部３１の凸部３１ｂをガード具本体１０の溝２０に嵌め込むと共に、ロック部３１の凹部３１ａにガード具本体１０の凸部１２を嵌め込む。
【００２６】
この状態で、被ロック部３２をロック部３１に取付け作業者が押し込むと、ロック部３１のロック溝３１ｃに被ロック部３２の突起３２ａが嵌め込まれる。これにより、図１０に示すように、キャスター用ガード具のガード具本体１０により開口１０ａが形成され、この開口１０ａにキャスター１２０が収納された状態となり、キャスター用ガード具がキャスター１２０に装着される。同時に、ガード具本体１０の一番外側に位置する被ロック部３２がロック部３１で固定され、ロック部３１から被ロック部３２が外れることがない。
【００２７】
この他にも、次のような嵌め込み方法がある。つまり、ロック部３１のロック溝３１ｃを被ロック部３２の突起３２ａと向かい合って配置する。この後、ロック部３１と被ロック部３２とを取付け作業者が手で挟んで力を加える。被ロック部３２の突起３２ａが三角柱の形状をしているので、突起３２ａがロック部３１の凸部３１ｂを押し分けて凸部３１ｂに入り込み、ロック部３１の凹部３１ａにガード具本体１０の凸部１２が嵌め込まれる。
【００２８】
ところで、キャスター用ガード具を取付けるキャスターに比べて、キャスター用ガード具のガード具本体１０で形成される円環状の開口１０ａの直径が大き過ぎる場合には、キャスター１２０の動きに対してガード具本体１０がスムーズに追従しなくなる。この場合には、ガード具本体１０の他方の短辺側に４つの被ロック部３２が並んで設けられているので、取付け作業者は溝２０の部分を切り取る。これにより、溝２０と共に被ロック部３２が切り取られるので、円環状の開口１０ａの直径を小さくして調節し、この後キャスター１２０にキャスター用ガード具を取り付ける。
【００２９】
こうして、この実施の形態によれば、キャスター１２０を使用する所で各種のケーブルがあっても、キャスター１２０にキャスター用ガード具を装着することによって、キャスター１２０がケーブル塁を挟んだり踏んだりすることを防ぐことができる。また、この実施の形態によれば、キャスター１２０を収納するキャスター用ガード具の開口１０ａの直径を変えることができるので、１つのキャスター用ガード具を各種のサイズのキャスターに用いることを可能にする。
【００３０】
（実施の形態２）
先に述べた実施の形態１では、多数の溝２０を設けてガード具本体１０の開口１０ａを円環状に変形することを可能にしたが、この実施の形態では次のようにしている。
【００３１】
この実施の形態によるキャスター用ガード具を図１１に示す。なお、この実施の形態では、先に説明した実施の形態１と同一もしくは同一と見なされる構成要素には、それと同じ参照符号を付けて、その説明を省略する。この実施の形態によるキャスター用ガード具は実施の形態１と同様にキャスター１２０に装着されるが、次の点で実施の形態１のキャスター用ガード具と異なる。つまり、実施の形態１では多数の溝２０をガード具本体１０に設けたが、実施の形態２ではロック部３１と被ロック部３２との間に４つの溝２０を設けている。
【００３２】
そして、キャスター用ガード具をキャスター１２０に装着する場合には、取付け作業者はロック部３１と被ロック部３２との間に設けた溝２０の部分を屈曲する。これにより、ガード具本体１０で形成される開口１０ａの形状が四角形状になる。
【００３３】
この実施の形態のキャスター用ガード具によれば、実施の形態１と同様に、キャスター１２０を使用する所で各種のケーブルがあっても、キャスター１２０にキャスター用ガード具を装着することによって、キャスター１２０がケーブル塁を挟んだり踏んだりすることを防ぐことができる。さらに、この実施の形態によれば、ロック部３１と被ロック部３２との間に４つの溝２０を設けるので、溝２０を作成するための工程を簡略化することができる。
【００３４】
なお、実施の形態２では、ガード具本体１０により形成される開口１０ａの形状が四角であったが、ガード具本体１０に設ける溝２０の個数に応じて、開口１０ａの形状を四角以上の多角形にするように構成してもよい。
【符号の説明】
【００３５】
１０  ガード具本体
１０ａ  開口
１１  張出し部
１２  凸部（本体側の凸部）
２０  溝（屈曲用の溝）
３０  ロック構造
３１  ロック部
３１ａ  凹部（ロック部側の凹部）
３１ｂ  凸部
３１ｃ  ロック溝
３２  被ロック部
３２ａ  突起
【図１】
2019116211.tif 000003
【図２】
2019116211.tif 000004
【図３】
2019116211.tif 000005
【図４】
2019116211.tif 000006
【図５】
2019116211.tif 000007
【図６】
2019116211.tif 000008
【図７】
2019116211.tif 000009
【図８】
2019116211.tif 000010
【図９】
2019116211.tif 000011
【図１０】
2019116211.tif 000012
【図１１】
2019116211.tif 000013
【図１２】
2019116211.tif 000014